(57)【要約】      （修正有）【課題】二要素の安全な入退室管理を提供すると共に遠隔で随時監視及び知らせを行う入退室管理装置を提供する。【解決手段】入退室管理装置は、画像取込装置と呼び鈴スイッチとマルチタスクコントローラーとを含む。マルチタスクコントローラー１０は、回路基板とストレージユニットと無線受信機と制御ユニットと送信モジュールとを備える。遠隔監視装置を速やかに構築するため、ストレージユニット、無線受信機、制御ユニット及び送信モジュールは、回路基板上に設けられる。制御ユニットは、無線受信機、ストレージユニット、画像取込装置及び送信モジュールに接続する。制御ユニットは、目標無線識別子及び有効サンプル識別子、目標顔画像及び顔サンプル画像によって玄関ドア錠の解錠の有無を判定でき、且つ送信モジュールを利用して人物画像及び制御ユニットの判定結果を出力する。【選択図】図１
0003212933.tif 000002
【実用新案登録請求の範囲】
【請求項１】
屋外の玄関ドアに近い壁面或いは前記玄関ドア上に設けられ、人物画像をキャプチャする画像取込装置と、
回路基板と、前記回路基板上に設けられ、少なくとも１つの有効な識別子及び少なくとも１つの顔サンプル画像を保存するストレージユニットと、前記回路基板上に設けられ、且つ識別信号を無線で受信する無線受信機と、前記回路基板上に設けられ、前記無線受信機、前記ストレージユニット及び前記画像取込装置と接続し、前記識別信号の目標識別子、前記少なくとも１つの有効な識別子、前記人物画像内の目標顔画像及び前記少なくとも１つの顔サンプル画像により前記玄関ドア錠の解錠の有無を判定する制御ユニットと、前記回路基板上に設けられ、前記制御モジュールに接続し、前記人物画像及び前記制御ユニットの判定結果を無線で出力する送信モジュールとを備え、屋内に設けられたマルチタスクコントローラーと、
を含むことを特徴とする入退室管理装置。
【請求項２】
前記屋外の玄関ドアに近い前記壁面或いは前記玄関ドア上に設けられ、操作によって呼び鈴起動信号を生成するために用いられる呼び鈴スイッチを更に含み、前記制御ユニットは、前記呼び鈴起動信号に応答して前記送信モジュールを制御して、前記人物画像及び前記制御ユニットの判定結果を無線で出力することを特徴とする請求項１に記載の入退室管理装置。
【請求項３】
前記屋外の玄関ドアに近い前記壁面或いは前記玄関ドア上に設けられたケーシングと、
前記画像取込装置と一緒に前記ケーシング上に嵌設される呼び鈴スイッチと、
を更に含むことを特徴とする請求項１に記載の入退室管理装置。
【請求項４】
前記マルチタスクコントローラーは、ケースを備え、前記回路基板、前記ストレージユニット、前記無線受信機、前記制御ユニット及び前記送信モジュールが前記ケース内に組み込み、且つ前記ケース上に前記制御ユニットと電気的に接続するポートを嵌設することを特徴とする請求項１に記載の入退室管理装置。
【請求項５】
無線で前記送信モジュールに接続し、無線で前記人物画像及び前記制御ユニットの前記判定結果を無線で受信すると共に表示する携帯用デバイスを更に含むことを特徴とする請求項１に記載の入退室管理装置。
【請求項６】
前記携帯用デバイスは、アプリケーションプログラムを通じて前記マルチタスクコントローラーに通信接続し、かつ前記アプリケーションプログラムを通じて前記人物画像及び前記制御ユニットの前記判定結果を表示することを特徴とする請求項５に記載の入退室管理装置。
【請求項７】
前記携帯用デバイスは、更に開扉指令を生成して前記マルチタスクコントローラーに出力し、前記制御ユニットが前記開扉指令に応答して前記ドア錠を制御して解錠することを特徴とする請求項５に記載の入退室管理装置。
【請求項８】
前記携帯用デバイスは、アプリケーションプログラムを通じて前記マルチタスクコントローラーに通信接続し、かつ前記アプリケーションプログラムを通じて前記開扉指令を生成して前記マルチタスクコントローラーに出力することを特徴とする請求項７に記載の入退室管理装置。
【請求項９】
前記携帯用デバイスは、追加待ち人物の顔画像をキャプチャするため、追加待ち人物の顔を撮影でき、これを介して対応の前記顔サンプル画像を前記マルチタスクコントローラーの前記ストレージユニット内に確立することを特徴とする請求項５に記載の入退室管理装置。
【請求項１０】
前記携帯用デバイスは、アプリケーションプログラムを通じて前記マルチタスクコントローラーに通信接続し、かつ前記アプリケーションプログラムを通じて前記追加待ち人物の顔画像をキャプチャして前記追加待ち人物の顔画像を前記マルチタスクコントローラーの前記ストレージユニット内に伝送することを特徴とする請求項９に記載の入退室管理装置。
【請求項１１】
前記送信モジュールに接続し、前記送信モジュールと前記携帯用デバイスの通信リンクを確立する中継器を更に含むことを特徴とする請求項５に記載の入退室管理装置。
【請求項１２】
前記送信モジュールに接続し、前記人物画像、前記制御ユニットの前記判定結果及び前記判定結果の発生時間をバックアップするクラウドサーバーを更に含むことを特徴とする請求項１に記載の入退室管理装置。
【請求項１３】
前記送信モジュールに接続し、前記送信モジュールと前記クラウドサーバーの通信リンクを確立する中継器を更に含むことを特徴とする請求項１２に記載の入退室管理装置。
【請求項１４】
前記玄関ドアの前記ドア錠と前記制御ユニットに接続し、前記制御ユニットの制御を受けることで、前記ドア錠を選択的に解錠する電気制御装置を更に含むことを特徴とする請求項１に記載の入退室管理装置。
【請求項１５】
前記無線受信機は、非接触短距離通信技術をサポートすることを特徴とする請求項１に記載の入退室管理装置。
【請求項１６】
前記非接触短距離通信技術は、ブルートゥース（登録商標）通信技術とすることを特徴とする請求項１５に記載の入退室管理装置。
【請求項１７】
前記非接触短距離通信技術は、近距離無線通信技術とすることを特徴とする請求項１５に記載の入退室管理装置。
【請求項１８】
前記非接触短距離通信技術は、無線自動識別通信技術とすることを特徴とする請求項１５に記載の入退室管理装置。
【請求項１９】
前記制御ユニットは、設定信号によって二要素の検出及び単一要素の検出のうちのいずれかを実行して前記ドア錠の解錠の有無を判定することを特徴とする請求項１に記載の入退室管理装置。
【請求項２０】
前記二要素の検出において、前記制御ユニットは、前記識別信号の前記目標識別子が前記少なくとも１つの有効な識別子内のいずれかと一致し、且つ前記人物画像内の前記目標顔画像が前記少なくとも１つの顔サンプル画像内のいずれかと一致した時、前記ドア錠を解錠すると判定し、逆の場合前記ドア錠を解錠しないと判定し、並びに前記単一要素の検出において、前記制御ユニットは前記識別信号の前記目標識別子が前記少なくとも１つの有効な識別子内のいずれかと一致或いは前記人物画像内の前記目標顔画像が前記少なくとも１つの顔サンプル画像内のいずれかと一致した時、前記ドア錠を解錠すると判定し、逆の場合前記ドア錠を解錠しないと判定することを特徴とする請求項１９に記載の入退室管理装置。
【請求項２１】
各前記少なくとも１つの有効な識別子が前記少なくとも１つの顔サンプル画像内の少なくとも１つに対応し、且つ前記二要素の検出において前記制御ユニットは、先に前記識別信号の目標識別子が前記少なくとも１つの有効な識別子内のいずれかと一致するかを照合し、また前記目標識別子が前記有効な識別子と一致した時、前記制御ユニットは更に前記人物画像内の前記目標顔画像を前記目標識別子と一致する前記有効な識別子が対応する前記少なくとも１つの顔サンプル画像内のいずれかと一致するかを照合することを特徴とする請求項２０に記載の入退室管理装置。
【請求項２２】
無線で前記送信モジュールに接続し、前記設定信号を生成すると共に出力する携帯用デバイスを更に含むことを特徴とする請求項１９に記載の入退室管理装置。
【請求項２３】
前記携帯用デバイスは、アプリケーションプログラムを通じて前記マルチタスクコントローラーに通信接続し、かつ前記アプリケーションプログラムを通じて前記設定信号を生成し、前記送信モジュールを経由して前記制御ユニットまでに伝送することを特徴とする請求項２２に記載の入退室管理装置。
【請求項２４】
前記携帯用デバイスは、アプリケーションプログラムを通じて前記マルチタスクコントローラーに通信接続し、かつ前記アプリケーションプログラムを通じて前記有効な識別子及び前記顔サンプル画像の対応関係を設定することを特徴とする請求項２２に記載の入退室管理装置。
【請求項２５】
前記送信モジュールに接続し、前記送信モジュールと前記携帯用デバイスの通信リンクを確立する中継器を更に含むことを特徴とする請求項２２に記載の入退室管理装置。
【請求項２６】
前記制御ユニットに接続する少なくとも１つのホームセンサーを更に含み、前記制御ユニットは更に前記少なくとも１つのホームセンサーからの検知データを受信することを特徴とする請求項１に記載の入退室管理装置。
【考案の詳細な説明】
【技術分野】
【０００１】
本考案は、管理装置に関し、特に、入退室管理装置に関する。
【背景技術】
【０００２】
屋内にいる人及びその生命や財産の安全を保障するため、入退室管理システムが一般的なオフィスビル、マンションビル、営業場所或いは駐車場等の人及び車両の出入りを管理する場所に運用され、これを介して出入口を出入りする人及び／或いは車両を管理している。
【０００３】
従来の入退室管理システムは、出入りするドアにカードリーダーを設け、使用者がカードリーダーにカードを通すことで信号を生成してドア錠を解錠し、従って玄関ドアを開いて使用者を出入りさせることができる。
【０００４】
入退室管理システムは、相当な安全性を具えているが、使用上において、やはり不便なところがあった。なぜなら非接触ＩＣカードの感知及び通信距離に限りがあり、カード所持者は、非接触ＩＣカードをセンサーに近づけることで、センサーが非接触ＩＣカードの識別子を読み取ることができる。次に、非接触ＩＣカードはやはり紛失のリスクもある。よって、如何にして入退室管理システムの使用利便性及び安全性を向上させるかが、実際現在の１つの重要な課題となっている。
【考案の概要】
【考案が解決しようとする課題】
【０００５】
上記課題を解決するために、鋭意研究を重ねた結果、以下の発明を完成するに至った。
【課題を解決するための手段】
【０００６】
一実施例において、入退室管理装置は、画像取込装置と呼び鈴スイッチとマルチタスクコントローラーとを含む。マルチタスクコントローラーは、回路基板とストレージユニットと無線受信機と制御ユニットと送信モジュールとを備える。画像取込装置は、屋外の玄関ドアに近い壁面或いは玄関ドア上に設けられ、人物画像をキャプチャする。呼び鈴スイッチは、屋外の玄関ドアに近い壁面或いは玄関ドア上に設けられ、且つ操作によって呼び鈴起動信号を生成するために用いられる。ストレージユニットは、回路基板上に設けられ、且つ少なくとも１つの有効な識別子及び少なくとも１つの顔サンプル画像を保存する。無線受信機は、回路基板上に設けられ、且つ識別信号を無線で受信する。制御ユニットは、回路基板上に設けられ、且つ無線受信機、ストレージユニット及び画像取込装置と接続する。制御ユニットは、識別信号の目標識別子、有効な識別子、人物画像内の目標顔画像及び顔サンプル画像により玄関ドア錠の解錠の有無を判定する。送信モジュールは、回路基板上に設けられ、且つ制御モジュールに接続する。送信モジュールは、人物画像及び制御ユニットの判定結果を無線で出力する。
【考案の効果】
【０００７】
上記実施例によれば、本考案に係る入退室管理装置は、遠隔監視装置を速やかに構築するため、マルチタスクコントローラーを提供できる。次に、本考案に係る入退室管理装置は、目標識別子、有効な識別子、目標顔画像及び顔サンプル画像によって玄関ドア錠の解錠の有無を判定でき、且つ送信モジュールを利用して人物画像及び制御ユニットの判定結果を出力することで、二要素の安全な入退室管理を提供すると共に遠隔で監視を行う。
【図面の簡単な説明】
【０００８】
【図１】本考案の実施例１に係る入退室管理装置の構成図である。
【図２】実施例１に係る画像取込装置及び呼び鈴スイッチの配置を示す模式図である。
【図３】実施例１に係る画像取込装置及び呼び鈴スイッチの別の配置を示す模式である。
【図４】実施例２に係る画像取込装置及び呼び鈴スイッチを示す模式図である。
【図５】図１の入退室管理装置の使用状態を示す模式図である。
【図６】本考案の実施例２に係る入退室管理装置の構成図である。
【図７】図６の入退室管理装置の使用状態を示す模式図である。
【図８】本考案の実施例３に係る入退室管理装置の構成図である。
【図９】本考案の実施例４に係る入退室管理装置の構成図である。
【図１０】図９の入退室管理装置の使用状態を示す模式図である。
【図１１】本考案の実施例５に係る入退室管理装置の構成図である。
【考案を実施するための形態】
【０００９】
図１は、本考案の実施例１に係る入退室管理装置１の構成図である。図１を参照すると、入退室管理装置１は、屋内空間（例：居住空間又はオフィス空間）の玄関ドア錠の解錠の有無を制御するために用いられる。入退室管理装置１は、画像取込装置２０とマルチタスクコントローラー１０とを含む。マルチタスクコントローラー１０は、回路基板１１とストレージユニット１２と無線受信機１３と制御ユニット１４と送信モジュール１５とを含む。ストレージユニット１２、無線受信機１３、制御ユニット１４及び送信モジュール１５は、各々回路基板１１に設けられ、且つ制御ユニット１４が画像取込装置２０、呼び鈴スイッチ３０、ストレージユニット１２、無線受信機１３及び送信モジュール１５に接続する。
【００１０】
ストレージユニット１２は、１個或いは複数の有効な識別子及び１個或いは複数の顔サンプル画像を保存する。若干の実施例において、ストレージユニット１２は、ハードドライブ、ＵＳＢメモリ、メモリーカード、ソリッドステートディスク、メモリ又はその他のストレージデバイス等とすることができ、本考案ではこれに限られるものではない。
【００１１】
無線受信機１３は、無線送信機６０からの識別信号を受信し、また受信した識別信号を制御ユニット１４に送るために用いられる。無線送信機６０は、様々な方式で人員の身上に装着できる。一実施例において、無線受信機１３及び無線送信機６０は、非接触短距離通信技術をサポートし、つまり、非接触短距離通信技術で無線受信／送信を行う。若干の実施例において、非接触近距離通信技術は、例えばブルートゥース（ｂｌｕｅｔｏｏｔｈ）（登録商標）通信技術、近距離無線通信（ｎｅａｒ  ｆｉｅｌｄ  ｃｏｍｍｕｎｉｃａｔｉｏｎ、ＮＦＣ）技術、無線自動識別（ｒａｄｉｏ  ｆｒｅｑｕｅｎｃｙ  ｉｄｅｎｔｉｆｉｃａｔｉｏｎ、ＲＦＩＤ）通信技術等とすることができる。若干の実施例において、ブルートゥース（登録商標）通信技術は、例えばブルートゥース（登録商標）４．０以上のブルートゥース（登録商標）通信技術とすることができる。
【００１２】
制御ユニット１４は、識別信号を取得した後、識別信号内の目標識別子をキャプチャできる。一実施例において、無線送信機６０は、機器固有識別子を有し、且つ無線送信機６０が機器識別子を信号に記入してから送信し、異なる無線送信機６０から送信された無線信号に異なる識別子を持たせることができる。別の実施例において、無線送信機６０は、ユーザー自身で設定した識別子を記入して、異なる無線送信機６０から送信された無線信号に異なる識別子を持たせることもできる。若干の実施例において、識別子は、ハードウェアのアドレス（ＭＡＣアドレス）、無線送信機６０の機器識別子（Ｄｅｖｉｃｅ  ＩＤ）或いは他の各無線送信機６０固有識別子（Ｕｎｉｑｕｅ  Ｉｄｅｎｔｉｆｉｃａｔｉｏｎ  Ｎｕｍｂｅｒ、ＵＩＤ）が挙げられる。
【００１３】
一実施例において、画像取込装置２０は、玄関ドア前にある人の人物画像を撮影並びにキャプチャし、またキャプチャした人物画像を制御ユニット１４に送るために用いられる。制御ユニット１４は、人物画像を取得した後、人物画像に対し画像識別を行うことで、人物画像内の目標顔画像を得る。画像取込装置２０は、超小型カメラ、ウェブカメラ（ＷｅｂＣａｍ）又はネットワーク監視カメラ（ＩＰ  Ｃａｍｅｒａ）とすることができるが、本考案はこれに限られるものではない。
【００１４】
次に、制御ユニット１４は、目標識別子と目標顔画像を取得した後、目標識別子、有効な識別子、目標顔画像及び顔サンプル画像によって玄関ドア錠の解錠（つまり、玄関ドアを開くかどうか）の有無を判定することができる。制御ユニット１４は、マイクロプロセッサ、マイクロコントローラ、デジタル信号プロセッサ、マイクロコンピュータ、中央処理装置及び／或いは操作指令の操作信号（アナログ及び／或いはデジタル）に基づくいかなる電子素子とすることができるが、本考案はこれに限られるものではない。
【００１５】
そして、送信モジュール１５は、人物画像及び制御ユニット１４の判定結果（例：玄関ドアを開くかどうか）を携帯用デバイス４０に無線で伝送することで、ユーザーがリアルタイムで携帯用デバイス４０を通じて監視させることができる。判定結果は、例えば玄関ドアを開く（ドア錠の解錠)メッセージの表示或いは玄関ドアを開かない（検出失敗によりドア錠を解錠しない）メッセージの表示を含むことができる。これ以外に、判定結果は、目標識別子及び有効な識別子の照合結果（識別子の検出に成功又は失敗）或いは／及び目標顔画像及び顔サンプル画像の照合結果（画像の検出に成功又は失敗）も更に含むことができる。若干の実施例において、送信モジュール１５は、ＷｉＦｉ（登録商標）、ＧＳＭ（登録商標）、ブルートゥース（登録商標）、赤外線若しくはその他の無線伝送方式による伝送或いは有線伝送方式による伝送を行うことができるものとするが、本考案はこれに限られるものではない。
【００１６】
一実施例において、携帯用デバイス４０は、送信モジュール１５からの人物画像及び判定結果を受信し、これをもってプッシュメッセージを生成してユーザーに閲覧するよう通知することで、ユーザーが携帯用デバイス４０を操作して受信した人物画像及び判定結果を携帯用デバイス４０のスクリーン上に表示させる。
【００１７】
若干の実施例において、携帯用デバイス４０は、ユーザーの操作により開扉指令を生成することができる。携帯用デバイス４０は、開扉指令を送信モジュール１５に無線で出力する。制御ユニット１４は、送信モジュール１５を通じて開扉指令を受信し、且つ開扉指令に応答して玄関ドア錠の解錠（例えば、電気制御装置５０を駆動して玄関ドア錠を解錠する）を制御する。言い換えると、ユーザーは玄関ドアを開いて人を立ち入らせるかどうかを決定することもでき、ユーザーが玄関ドアの場所まで行っていないでも玄関ドア錠の解錠を行うことができる。
【００１８】
若干の実施例において、入退室管理装置１は、簡単且つリアルタイムに遠隔地で携帯用デバイス４０を通じて顔サンプル画像のファイリング作業を行うことで、ローカルのマルチタスクコントローラー１０にファイリング後の顔サンプル画像により玄関ドア錠の解錠の有無の判断を行わせる根拠をユーザーに提供できる。
【００１９】
一実施例において、携帯用デバイス４０は、追加待ち人物の顔画像をキャプチャするため、追加待ち人物の顔を撮影でき、これを介して対応の顔サンプル画像をマルチタスクコントローラー１０のストレージユニット１２内に確立する。例を挙げると、ユーザーは、携帯用デバイス４０で撮影すると共に追加待ち人物の顔画像を取得できる。次に、この追加待ち人物の顔画像をマルチタスクコントローラー１０に伝送し、且つマルチタスクコントローラー１０の制御ユニット１４が追加待ち人物の顔画像によって顔サンプル画像を生成してストレージユニット１２内に保存することで、制御ユニット１４が玄関ドア錠の解錠の有無を判断する根拠とする。他の例において、携帯用デバイス４０で撮影して追加待ち人物の顔画像を取得した後、先に得られた追加待ち人物の顔画像によって顔サンプル画像を生成し、更に生成した顔サンプル画像をマルチタスクコントローラー１０に伝送すると共にストレージユニット１２内に保存することで、制御ユニット１４が玄関ドア錠の解錠の有無を判断する根拠とする。
【００２０】
別の実施例において、携帯用デバイス４０は、画像キャプチャ指令をマルチタスクコントローラー１０の制御ユニット１４までに出力できる。制御ユニット１４は、受信した画像キャプチャ指令に基づき画像取込装置２０を駆動させて玄関ドア前にいる追加待ち人物の顔画像を撮影すると共にキャプチャでき、またキャプチャした顔画像によって対応の顔サンプル画像をマルチタスクコントローラー１０のストレージユニット１２内に確立することで、制御ユニット１４が玄関ドア錠の解錠の有無を判断する根拠とする。例を挙げると、ユーザーは、携帯用デバイス４０を操作することで画像キャプチャ指令を生成でき、また携帯用デバイス４０が遠隔地からネットワークを経由して生成した画像キャプチャ指令をローカルの制御ユニット１４に伝送できる。制御ユニット１４は、受信した画像キャプチャ指令に応答して画像取込装置２０を駆動させて追加待ち人物の顔画像を撮影並びに取得する。次に、画像取込装置２０は、追加待ち人物の顔画像を制御ユニット１４に伝送する。且つ、制御ユニット１４が追加待ち人物の顔画像によって顔サンプル画像を生成してストレージユニット１２内に保存することで、制御ユニット１４が玄関ドア錠の解錠の有無を判断する根拠とする。
【００２１】
若干の実施例において、ユーザーは携帯用デバイス４０で新しく生成された顔サンプル画像及び少なくとも１つの有効な識別子の対応関係を設定し、その設定後の情報（新しく生成した顔サンプル画像及び少なくとも１つの有効な識別子の対応関係）をマルチタスクコントローラー１０に伝送することで、制御ユニット１４がこの対応関係に基づき生成した顔サンプル画像をストレージユニット１２内に保存させることもできる。
【００２２】
若干の実施例において、携帯用デバイス４０は、アプリケーションプログラム通信を通じてマルチタスクコントローラー１０に接続して、追加人物の顔サンプル画像の確立を行うことができる。言い換えると、携帯用デバイス４０は、このアプリケーションプログラムを通じて追加待ち人物の顔画像キャプチャ、顔サンプル画像の選択的な生成、及びキャプチャした顔画像又は生成した顔サンプル画像を遠隔地のマルチタスクコントローラー１０に伝送し、これをもって追加人物の顔サンプル画像をストレージユニット１２内に確立する。
【００２３】
若干の実施例において、携帯用デバイス４０は、アプリケーションプログラムを通じて制御ユニット１４から人物画像及び制御ユニット１４の判定結果を受信すると共に表示することもできる。言い換えると、ユーザーは、携帯用デバイス４０内のアプリケーションプログラムを利用して人物画像及び判定結果を表示できる。ユーザーは、直接人物が誰か及び玄関ドアを開くかどうかというメッセージ息を直接知る便宜が図られる。
【００２４】
若干の実施例において、携帯用デバイス４０は、アプリケーションプログラムを通じて顔サンプル画像及び少なくとも１つの有効な識別子の対応関係の設定を行い、また設定後遠隔地のマルチタスクコントローラー１０に伝送することで、制御ユニット１４が設定した対応関係に基づき顔サンプル画像及び有効な識別子をストレージユニット１２内に保存することもできる。
【００２５】
一実施例において、携帯用デバイス４０は、アプリケーションプログラムを通じて開扉指令を生成し、且つ開扉指令をマルチタスクコントローラー１０の送信モジュール１５に伝送できることもできる。言い換えると、ユーザーは、携帯用デバイス４０のアプリケーションプログラムを操作することで開扉指令を生成でき、携帯用デバイス４０がこれを介して開扉指令を送信モジュール１５に伝送することができる。更に制御ユニット１４が開扉指令に応答して玄関ドア錠の解錠を制御させることができる。
【００２６】
一実施例において、入退室管理装置１は、呼び鈴スイッチ３０を更に含むことができる。呼び鈴スイッチ３０は、人員の操作により屋内の呼び鈴を鳴らされるために用いられる。
【００２７】
一実施例において、屋内の呼び鈴を鳴らされる以外に、呼び鈴スイッチ３０は、人員の操作により呼び鈴起動信号を生成して制御ユニット１４に伝送するために用いられることもできる。言い換えると、人員は、呼び鈴スイッチ３０へのタッチ（或いは押圧）を通じて、屋内の呼び鈴を鳴らされると共に呼び鈴起動信号を制御ユニット１４に出力できる。ここで、制御ユニット１４は、呼び鈴起動信号を受信してから呼び鈴起動信号に応答して送信モジュール１５を制御して、人物画像及び制御ユニット１４の判定結果（例如：ドア錠の解錠の有無）を無線で携帯用デバイス４０に伝送することができる。
【００２８】
若干の実施例において、呼び鈴スイッチ３０は、ボタン、キー又はディップスイッチ等とすることができるが、本考案はこれに限られるものではない。
【００２９】
図２は、実施例１に係る画像取込装置２０及び呼び鈴スイッチ３０の配置を示す模式図である。図３は、実施例１に係る画像取込装置２０及び呼び鈴スイッチ３０の別の配置を示す模式図である。図２及び図３を参照すると、画像取込装置２０及び呼び鈴スイッチ３０は屋外に設けられ、マルチタスクコントローラー１０が屋内に設けられる。
【００３０】
一実施例において、画像取込装置２０及び呼び鈴スイッチ３０は、図２に示すように玄関ドアに近い壁面上に設けられることができる。別の実施例において、画像取込装置２０及び呼び鈴スイッチ３０も玄関ドアに設けられることができる。ただし本考案はこれに限られるものではなく、若干の実施例において、画像取込装置２０及び呼び鈴スイッチ３０が各々屋外の異なる位置に設けられることができ、例えば１つが玄関ドア上に位置及びもう１つが玄関ドアに近い壁面（図示せず）に位置する。
【００３１】
一つの実施例において、画像取込装置２０及び呼び鈴スイッチ３０は屋外の同一位置に設けられた時、画像取込装置２０及び呼び鈴スイッチ３０を単一装置として統合でき、例えば画像取込装置２０及び呼び鈴スイッチ３０をケーシング２上に設けることができ、本考案はこれに限られるものではない。画像取込装置２０のカメラ及び呼び鈴スイッチ３０のキーは、ケーシング２の表面に嵌設される。
【００３２】
図４は、実施例２に係る画像取込装置２０及び呼び鈴スイッチ３０を示す模式図である。図４を参照すると、入退室管理装置はディスプレイ２１を更に含み、且つディスプレイ２１が屋外に設けられる。ディスプレイ２１は、画像取込装置２０で撮影して取得した人物画像を表示するために用いられ、これを介して人員がディスプレイ２１を通じて例えば角度、顔位置等の人物画像の正確の有無を知ることができる。一実施例において、ディスプレイ２１は、画像取込装置２０に近くに設けることができる。
【００３３】
若干の実施例において、ディスプレイ２１は、画像取込装置２０と同一位置（玄関ドア上或いは玄関ドアに近い壁面上）に設けられることができ、異なる位置に設けることもできる。
【００３４】
若干の実施例において、ディスプレイ２１、画像取込装置２０及び呼び鈴スイッチ３０は、単一装置として統合でき、つまりドア上又は壁面上のケーシング２に嵌設できる。
【００３５】
図５は、図１の入退室管理装置１の使用状態を示す模式図である。図５を参照すると、マルチタスクコントローラー１０は、内部の無線受信機１３が識別信号を検知するため、屋内の玄関ドアに近い壁面に設けられるが、本考案はこれに限られるものではない。
【００３６】
若干の実施例において、回路基板１１及びその上に設けられたコンポーネント（つまり、ストレージユニット１２、無線受信機１３、制御ユニット１４及び送信モジュール１５）は、マルチタスクコントローラー１０のケース内に設けられる。言い換えると、回路基板１１、ストレージユニット１２、無線受信機１３、制御ユニット１４及び送信モジュール１５は、その上に複数のポートを設けた単一装置として統合し、つまりケース上に制御ユニット１４と電気的に接続する複数のポートを嵌設している。制御ユニット１４は、これらポートを通じて外部装置（例えば、画像取込装置２０或いは／及び呼び鈴スイッチ３０等）にカップリングする。
【００３７】
若干の実施例において、制御ユニット１４は、二要素の検出又は単一要素の検出を実行してドア錠の解錠の有無を判定できる。
【００３８】
若干の実施例において、制御ユニット１４は、識別信号から取得した目標識別子をストレージユニット１２内の有効な識別子と照合する。目標識別子が有効な識別子と一致しない時、制御ユニット１４は識別子の検出に失敗したと判定する。逆に、目標識別子がいずれかの有効な識別子と一致した時、制御ユニット１４は、識別子の検出に成功したと判定する。
【００３９】
若干の実施例において、制御ユニット１４は、人物画像からキャプチャして得られた目標顔画像をストレージユニット１２内の顔サンプル画像と照合する。目標顔画像が顔サンプル画像と一致しない時、制御ユニット１４は、画像の検出に失敗したと判定する。逆に、目標顔画像がいずれか顔サンプル画像と一致した時、制御ユニット１４は、画像の検出に成功したと判定する。
【００４０】
単一要素の検出において、制御ユニット１４は、識別子検出の成功又は画像検出の成功に応答して玄関ドア錠の解錠を判定することで、玄関ドアを開かせる。識別子の検出と画像の検出のいずれかに失敗した時、制御ユニット１４は玄関ドア錠を施錠状態（解錠したい）に維持すると判定することで、玄関ドアを開かせない（施錠を保持）。
【００４１】
二要素の検出において、制御ユニット１４は、識別子の検出に成功し且つ画像の検出成功に応答して玄関ドア錠の解錠を判定することで、玄関ドアを開かせる。識別子の検出及び画像の検出のいずれかに失敗した時、制御ユニット１４は玄関ドア錠を施錠状態（解錠したい）に維持すると判定することで、玄関ドアを開かせない（施錠を保持）。
【００４２】
一実施例において、ストレージユニット１２内に保存する有効な識別子は、顔サンプル画像に対応する。つまり、各有効な識別子が特定の数量の顔サンプル画像に対応しているが、本考案はこれに限られるものではない。この時、二要素の検出において、制御ユニット１４は、先に識別信号の目標識別子を順次にストレージユニット１２内の全ての有効な識別子と照合することで、一致の有効な識別子があるかどうかを確認できる。目標識別子が有効な識別子に一致した時、制御ユニット１４は更にストレージユニット１２内からこの有効な識別子（目標識別子と一致）が対応する顔サンプル画像を読み出し、また人物画像内の目標顔画像を順次に該有効な識別子が対応する顔サンプル画像と照合する。且つ、目標顔画像はいずれか該有効な識別子が対応する顔サンプル画像と一致した時、制御ユニット１４がドア錠の解錠を判定する。目標顔画像はいずれかの該有効な識別子が対応する顔サンプル画像と一致しない時、制御ユニット１４はドア錠を解錠しないと判定する。次に、目標識別子が有効な識別子に均しく一致しない時、制御ユニット１４は、画像照合を行うことなく、直接ドア錠を解錠しないと判定できる。
【００４３】
一実施例において、有効な識別子と顔サンプル画像は、一対一或いは一対多で対応できる。有効な識別子は、一人の顔サンプル画像に対応でき、数人の顔サンプル画像にも対応できる。一実施例において、ストレージユニット１２内において同一人物の数枚の顔サンプル画像を確立でき、これを介して顔識別時により一層正確となることができる。
【００４４】
若干の実施例において、制御ユニット１４は、単一要素の検出能力と二要素の検出能力を同時に持つことができる。この時、制御ユニット１４は、設定信号に基づいて二要素の検出の実行に切り替え(設定)或いは単一要素の検出の実行に切り替える(設定)ことができる。
【００４５】
若干の実施例において、携帯用デバイス４０は、操作により設定信号を生成し、また無線で送信モジュール１５に伝送するために用いられることができる。制御ユニット１４は、送信モジュール１５を経由して設定信号を受信し、また信号設定によって二要素の検出の実行から単一要素の検出の実行に切り替え、若しくは単一要素の検出の実行から二要素の検出の実行に切り替えることができる。
【００４６】
若干の実施例において、ユーザーは携帯用デバイス４０内のアプリケーションプログラムを通じて設定信号を生成でき、且つ更に設定信号を送信モジュール１５によって制御ユニット１４に伝送できる。制御ユニット１４は、設定信号に基づいて二要素の検出の実行から単一要素の検出の実行に切り替え、若しくは単一要素の検出の実行から二要素の検出の実行に切り替えることができる。
【００４７】
若干の実施例において、操作により対応の設定信号を生成して制御ユニット１４に送るため、マルチタスクコントローラー１上に切替スイッチを有することができる。
【００４８】
一実施例において、入退室管理装置１は、電気制御装置５０（図１）を更に含むことができる。この電気制御装置５０は、玄関ドア（図示せず）に設けられ、制御ユニット１４及びドア錠に接続する。電気制御装置５０は、制御ユニット１４の制御を受けてドア錠の解錠を駆動し、つまり玄関ドアを開かせる。言い換えると、制御ユニット１４が玄関ドア錠を解錠すると判定した時、電気制御装置５０を制御して玄関ドア錠を解錠するため、制御ユニット１４は制御信号を出力する。制御ユニット１４が玄関ドア錠を解錠しないと判定した時、制御信号を出力しないことで、電気制御装置５０が玄関ドア錠を解錠しない。
【００４９】
若干の実施例において、携帯用デバイス４０は、ＬＡＮネットを通じて送信モジュール１５と通信、若しくはインターネットを経由して送信モジュール１５と通信する。
【００５０】
図６は、本考案の実施例２に係る入退室管理装置１の構成図である。図７は、図６の入退室管理装置１の使用状態を示す模式図である。図６及び図７を参照すると、一実施例において、入退室管理装置１は中継器７０を更に含み、且つ中継器７０が送信モジュール１５と携帯用デバイス４０の間を接続する。よって、携帯用デバイス４０と送信モジュール１５が、中継器７０を経由して通信リンクを確立できることで、送信モジュール１５は中継器７０を経由して人物画像及び判定結果を携帯用デバイス４０に伝送できる。
【００５１】
ここで、中継器７０は、有線或いは無線の方式で送信モジュール１５と接続できる。
【００５２】
中継器７０は、ＧＰＳ、ＷｉＦｉ、ＬｉＦｉ（登録商標）、又はその他の長距離無線通信技術の無線伝送に適合する中継装置とすることができ、これを介して送信モジュール１５と携帯用デバイス４０の間の無線伝送を確立できるものとするが、本考案はこれに限られるものではない。
【００５３】
図８は、本考案の実施例３に係る入退室管理装置１の構成図である。図８を参照すると、入退室管理装置１は、クラウドサーバー８０を更に含むことができ、且つクラウドサーバー８０が送信モジュール１５と通信接続する。クラウドサーバー８０は、例えば人物画像、判定結果及び判定結果の発生時間といった各履歴情報を保存するために用いられる。つまり、制御ユニット１４は、送信モジュール１５を経由して、人物画像、制御ユニット１４の判定結果及びその判定結果の発生時間をクラウドサーバー８０にアップロードできる。
【００５４】
図９は、本考案の実施例４に係る入退室管理装置１の構成図である。図１０は、図９の入退室管理装置１の使用状態を示す模式図である。図９及び図１０を参照すると、入退室管理装置１は、中継器７０を経由してクラウドサーバー８０と接続する。つまり、送信モジュール１５とクラウドサーバー８０との間は、中継器７０を経由して通信リンクを確立する。よって、制御ユニット１４は、送信モジュール１５及び中継器７０を経由して、人物画像、制御ユニット１４の判定結果及びその判定結果の発生時間をクラウドサーバー８０にアップロードする。
【００５５】
図１１は、本考案の実施例５に係る入退室管理装置１の構成図である。図１１を参照すると、入退室管理装置１は、１種又は数種のホームセンサー９０を更に含むことができ、且つこれらホームセンサー９０が制御ユニット１４と接続する。ホームセンサー９０は、屋内空間におけるその他の異常状態の検出をサポートでき、且つ異常な状態によって異常信号を生成する。ホームセンサー９０は、生成した異常信号を制御ユニット１４に集約でき、且つ制御ユニット１４が取りまとめ或いは／及び送信モジュール１５を経由して携帯用デバイス４０又はクラウドサーバー８０に伝送することで、クラウドサーバー８０の監視員若しくは携帯用デバイス４０のユーザーが速やかに知ることができ、これを介して対応行動をとることができる。
【００５６】
ホームセンサー９０は、煙感知、窓侵入検知器、光検出器、火災検出器、一酸化炭素検知器又はその他の警報センサー等とすることができるが、本考案はこれに限られるものではない。
【００５７】
上記をまとめると、本考案に係る入退室管理装置１は、遠隔監視装置を速やかに構築するため、マルチタスクコントローラー１０を提供できる。次に、本考案に係る入退室管理装置は、目標識別子、有効な識別子、目標顔画像及び顔サンプル画像によって玄関ドア錠の解錠の有無を判定でき、且つ送信モジュールを利用して人物画像及び制御ユニットの判定結果を出力することで、二要素の安全な入退室管理を提供すると共に遠隔で随時監視を行う。若干の実施例において、本考案に係る入退室管理装置１の携帯用デバイスは、遠隔顔サンプル画像のファイリングをサポートすることで、ユーザーが画像取込装置又は携帯用デバイスの使用を選択して画像をキャプチャし、更にキャプチャした画像に基づいて顔サンプル画像を追加することに提供でき、これを介してローカルファイリング、ローカル識別或いはローカルファイリング、リモート識別の作業ニーズを実現する。
【００５８】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００５９】
１     入退室管理装置
２     ケーシング
１０   マルチタスクコントローラー
１１   回路基板
１２   ストレージユニット
１３   無線受信機
１４   制御ユニット
１５   送信モジュール
２０   画像取込装置
２１   ディスプレイ
３０   呼び鈴スイッチ
４０   携帯用デバイス
５０   電気制御装置
６０   無線送信機
７０   中継器
８０   クラウドサーバー
９０   ホームセンサー
【図１】
0003212933.tif 000003
【図２】
0003212933.tif 000004
【図３】
0003212933.tif 000005
【図４】
0003212933.tif 000006
【図５】
0003212933.tif 000007
【図６】
0003212933.tif 000008
【図７】
0003212933.tif 000009
【図８】
0003212933.tif 000010
【図９】
0003212933.tif 000011
【図１０】
0003212933.tif 000012
【図１１】
0003212933.tif 000013
【手続補正書】
【提出日】平成29年8月4日(2017.8.4)
【手続補正１】
【補正対象書類名】実用新案登録請求の範囲
【補正対象項目名】全文
【補正方法】変更
【補正の内容】
【実用新案登録請求の範囲】
【請求項１】
屋外の玄関ドアに近い壁面或いは前記玄関ドア上に設けられ、人物画像をキャプチャする画像取込装置と、
回路基板と、前記回路基板上に設けられ、少なくとも１つの有効な識別子及び少なくとも１つの顔サンプル画像を保存するストレージユニットと、前記回路基板上に設けられ、且つ識別信号を無線で受信する無線受信機と、前記回路基板上に設けられ、前記無線受信機、前記ストレージユニット及び前記画像取込装置と接続し、前記識別信号の目標識別子、前記少なくとも１つの有効な識別子、前記人物画像内の目標顔画像及び前記少なくとも１つの顔サンプル画像により前記玄関ドアのドア錠の解錠の有無を判定する制御ユニットと、前記回路基板上に設けられ、前記制御ユニットに接続し、前記人物画像及び前記制御ユニットの判定結果を無線で出力する送信モジュールとを備え、屋内に設けられたマルチタスクコントローラーと、
を含むことを特徴とする入退室管理装置。
【請求項２】
前記屋外の玄関ドアに近い前記壁面或いは前記玄関ドア上に設けられ、操作によって呼び鈴起動信号を生成するために用いられる呼び鈴スイッチを更に含み、前記制御ユニットは、前記呼び鈴起動信号に応答して前記送信モジュールを制御して、前記人物画像及び前記制御ユニットの判定結果を無線で出力することを特徴とする請求項１に記載の入退室管理装置。
【請求項３】
前記屋外の玄関ドアに近い前記壁面或いは前記玄関ドア上に設けられたケーシングと、
前記画像取込装置と一緒に前記ケーシング上に嵌設される呼び鈴スイッチと、
を更に含むことを特徴とする請求項１に記載の入退室管理装置。
【請求項４】
前記マルチタスクコントローラーは、ケースを備え、前記回路基板、前記ストレージユニット、前記無線受信機、前記制御ユニット及び前記送信モジュールが前記ケース内に組み込み、且つ前記ケース上に前記制御ユニットと電気的に接続するポートを嵌設することを特徴とする請求項１に記載の入退室管理装置。
【請求項５】
無線で前記送信モジュールに接続し、無線で前記人物画像及び前記制御ユニットの前記判定結果を無線で受信すると共に表示する携帯用デバイスを更に含むことを特徴とする請求項１に記載の入退室管理装置。
【請求項６】
前記携帯用デバイスは、アプリケーションプログラムを通じて前記マルチタスクコントローラーに通信接続し、かつ前記アプリケーションプログラムを通じて前記人物画像及び前記制御ユニットの前記判定結果を表示することを特徴とする請求項５に記載の入退室管理装置。
【請求項７】
前記携帯用デバイスは、更に開扉指令を生成して前記マルチタスクコントローラーに出力し、前記制御ユニットが前記開扉指令に応答して前記ドア錠を制御して解錠することを特徴とする請求項５に記載の入退室管理装置。
【請求項８】
前記携帯用デバイスは、アプリケーションプログラムを通じて前記マルチタスクコントローラーに通信接続し、かつ前記アプリケーションプログラムを通じて前記開扉指令を生成して前記マルチタスクコントローラーに出力することを特徴とする請求項７に記載の入退室管理装置。
【請求項９】
前記携帯用デバイスは、追加待ち人物の顔画像をキャプチャするため、追加待ち人物の顔を撮影でき、これを介して対応の前記顔サンプル画像を前記マルチタスクコントローラーの前記ストレージユニット内に確立することを特徴とする請求項５に記載の入退室管理装置。
【請求項１０】
前記携帯用デバイスは、アプリケーションプログラムを通じて前記マルチタスクコントローラーに通信接続し、かつ前記アプリケーションプログラムを通じて前記追加待ち人物の顔画像をキャプチャして前記追加待ち人物の顔画像を前記マルチタスクコントローラーの前記ストレージユニット内に伝送することを特徴とする請求項９に記載の入退室管理装置。
【請求項１１】
前記送信モジュールに接続し、前記送信モジュールと前記携帯用デバイスの通信リンクを確立する中継器を更に含むことを特徴とする請求項５に記載の入退室管理装置。
【請求項１２】
前記送信モジュールに接続し、前記人物画像、前記制御ユニットの前記判定結果及び前記判定結果の発生時間をバックアップするクラウドサーバーを更に含むことを特徴とする請求項１に記載の入退室管理装置。
【請求項１３】
前記送信モジュールに接続し、前記送信モジュールと前記クラウドサーバーの通信リンクを確立する中継器を更に含むことを特徴とする請求項１２に記載の入退室管理装置。
【請求項１４】
前記玄関ドアの前記ドア錠と前記制御ユニットに接続し、前記制御ユニットの制御を受けることで、前記ドア錠を選択的に解錠する電気制御装置を更に含むことを特徴とする請求項１に記載の入退室管理装置。
【請求項１５】
前記無線受信機は、非接触短距離通信技術をサポートすることを特徴とする請求項１に記載の入退室管理装置。
【請求項１６】
前記非接触短距離通信技術は、ブルートゥース（登録商標）通信技術とすることを特徴とする請求項１５に記載の入退室管理装置。
【請求項１７】
前記非接触短距離通信技術は、近距離無線通信技術とすることを特徴とする請求項１５に記載の入退室管理装置。
【請求項１８】
前記非接触短距離通信技術は、無線自動識別通信技術とすることを特徴とする請求項１５に記載の入退室管理装置。
【請求項１９】
前記制御ユニットは、設定信号によって二要素の検出及び単一要素の検出のうちのいずれかを実行して前記ドア錠の解錠の有無を判定することを特徴とする請求項１に記載の入退室管理装置。
【請求項２０】
前記二要素の検出において、前記制御ユニットは、前記識別信号の前記目標識別子が前記少なくとも１つの有効な識別子内のいずれかと一致し、且つ前記人物画像内の前記目標顔画像が前記少なくとも１つの顔サンプル画像内のいずれかと一致した時、前記ドア錠を解錠すると判定し、逆の場合前記ドア錠を解錠しないと判定し、並びに前記単一要素の検出において、前記制御ユニットは前記識別信号の前記目標識別子が前記少なくとも１つの有効な識別子内のいずれかと一致或いは前記人物画像内の前記目標顔画像が前記少なくとも１つの顔サンプル画像内のいずれかと一致した時、前記ドア錠を解錠すると判定し、逆の場合前記ドア錠を解錠しないと判定することを特徴とする請求項１９に記載の入退室管理装置。
【請求項２１】
各前記少なくとも１つの有効な識別子が前記少なくとも１つの顔サンプル画像内の少なくとも１つに対応し、且つ前記二要素の検出において前記制御ユニットは、先に前記識別信号の目標識別子が前記少なくとも１つの有効な識別子内のいずれかと一致するかを照合し、また前記目標識別子が前記有効な識別子と一致した時、前記制御ユニットは更に前記人物画像内の前記目標顔画像を前記目標識別子と一致する前記有効な識別子が対応する前記少なくとも１つの顔サンプル画像内のいずれかと一致するかを照合することを特徴とする請求項２０に記載の入退室管理装置。
【請求項２２】
無線で前記送信モジュールに接続し、前記設定信号を生成すると共に出力する携帯用デバイスを更に含むことを特徴とする請求項１９に記載の入退室管理装置。
【請求項２３】
前記携帯用デバイスは、アプリケーションプログラムを通じて前記マルチタスクコントローラーに通信接続し、かつ前記アプリケーションプログラムを通じて前記設定信号を生成し、前記送信モジュールを経由して前記制御ユニットまでに伝送することを特徴とする請求項２２に記載の入退室管理装置。
【請求項２４】
前記携帯用デバイスは、アプリケーションプログラムを通じて前記マルチタスクコントローラーに通信接続し、かつ前記アプリケーションプログラムを通じて前記有効な識別子及び前記顔サンプル画像の対応関係を設定することを特徴とする請求項２２に記載の入退室管理装置。
【請求項２５】
前記送信モジュールに接続し、前記送信モジュールと前記携帯用デバイスの通信リンクを確立する中継器を更に含むことを特徴とする請求項２２に記載の入退室管理装置。
【請求項２６】
前記制御ユニットに接続する少なくとも１つのホームセンサーを更に含み、前記制御ユニットは更に前記少なくとも１つのホームセンサーからの検知データを受信することを特徴とする請求項１に記載の入退室管理装置。
【手続補正２】
【補正対象書類名】明細書
【補正対象項目名】０００６
【補正方法】変更
【補正の内容】
【０００６】
一実施例において、入退室管理装置は、画像取込装置と呼び鈴スイッチとマルチタスクコントローラーとを含む。マルチタスクコントローラーは、回路基板とストレージユニットと無線受信機と制御ユニットと送信モジュールとを備える。画像取込装置は、屋外の玄関ドアに近い壁面或いは玄関ドア上に設けられ、人物画像をキャプチャする。呼び鈴スイッチは、屋外の玄関ドアに近い壁面或いは玄関ドア上に設けられ、且つ操作によって呼び鈴起動信号を生成するために用いられる。ストレージユニットは、回路基板上に設けられ、且つ少なくとも１つの有効な識別子及び少なくとも１つの顔サンプル画像を保存する。無線受信機は、回路基板上に設けられ、且つ識別信号を無線で受信する。制御ユニットは、回路基板上に設けられ、且つ無線受信機、ストレージユニット及び画像取込装置と接続する。制御ユニットは、識別信号の目標識別子、有効な識別子、人物画像内の目標顔画像及び顔サンプル画像により玄関ドア錠の解錠の有無を判定する。送信モジュールは、回路基板上に設けられ、且つ制御ユニットに接続する。送信モジュールは、人物画像及び制御ユニットの判定結果を無線で出力する。